(57)【特許請求の範囲】
【請求項１】
同一構成の一対の増幅部を筐体の左右両側に蝶番を介して観音開き式に開閉可能に設けて、当該増幅部を閉じた状態で当該増幅部が筐体内に収まるようにし、
前記蝶番は、筐体側に取りつけられる筐体側ブロックと増幅部側に設けられる増幅部側ブロックとに分割可能であるとともに、当該増幅部側ブロックが前記増幅部の一側と他側とにそれぞれ設けられて筐体側ブロックに係合させる増幅部側ブロックを変更することにより増幅部の取り付け位置を前記筐体の右側と左側とに変更できることを特徴とする増幅器。
【請求項２】
請求項１に記載の増幅器において、
各増幅部に当該増幅部を閉じた状態で筐体外部に露呈する放熱器を設けたことを特徴とする増幅器。
【請求項３】
請求項１又は２に記載の増幅器において、
前記筐体と前記各増幅部との合わせ部に防水構造を備えたことを特徴とする増幅器。
【請求項４】
請求項１乃至３のいずれか１項に記載の増幅器において、
前記筐体の筐体側ブロックが設けられた側部に、電信柱への取付け用の取付具を備えたことを特徴とする増幅器。
【発明の詳細な説明】
【０００１】
【発明の属する技術分野】
本発明は増幅器に関し、例えば、携帯電話機用の屋外設置形塔頂増幅器などに適用されるものである。
【０００２】
【従来の技術】
携帯電話機などの携帯無線機の電波の増幅には屋外設置形塔頂増幅器が使われる。従来の屋外設置形塔頂増幅器の一例を図４に示す。
この増幅器は、増幅器筐体１０１内に一台の増幅部１０２を収容した構造となっている。増幅器筐体１０１の前面には保守点検のための扉１０３が設けられている。増幅器筐体１０１の扉１０３との合わせ面にはゴムパッキン１０４が設けられており、扉１０３はパッキン１０４に合わせられた状態でねじ１０５を締め付けることにより閉鎖される。
【０００３】
増幅器筐体１０１の背面側には放熱のためのラジエータ１０６が設けられている。増幅器筐体１０１の背面には固定用金具１０７が設けられており、この固定用金具１０７を取付けボルト１０８により電信柱などに固定することにより、増幅器は電信柱などに設置される。増幅器筐体１０１内の増幅部１０２には外部より、高周波コネクタ１０９、信号コネクタ１１０、電源コネクタ１１１などが接続される。
【０００４】
上記構成の増幅器において、取り外しての修理や交換が必要な場合には、高周波コネクタ１０９、信号コネクタ１１０、電源コネクタ１１１を外し、更に取付けボルト１０８を外して増幅器全体を電信柱より外していた。
【０００５】
【発明が解決しようとする課題】
上記従来の増幅器にあっては、増幅部が一台であることから、上記のような修理、交換の際には当該増幅器の増幅機能が失われ、携帯電話等のサービスエリアが狭くなり、携帯電話等のユーザーに不便を強いることになってしまう。
【０００６】
本発明はこのような状況に鑑みてなされたもので、修理点検の際にも増幅機能を損なうことのない増幅器を提供することを目的としてなされたものである。
【０００７】
【課題を解決するための手段】
上記課題を解決する本発明に係る増幅器の構成は、筐体に、開閉式に複数の増幅部を設けたことを特徴とする。
この発明に係る増幅器によれば、一つの増幅部に不具合が生じた場合でも、その増幅部の修理交換等の間他の増幅部をそれに代えることができる。
【０００８】
本発明に係る増幅器は、上記構成において、各増幅部に放熱器を設けたことを特徴とする。
この発明に係る増幅器によれば、増幅部の発熱は放熱器により放熱される。
【０００９】
本発明に係る増幅器は、上記構成において、前記筐体と各増幅部との合わせ部に防水構造を備えたことを特徴とする。
この発明に係る増幅器によれば、筐体と増幅部との合わせ部に防水構造を備えたことにより筐体内への雨水等の浸入が防止でき、増幅部が保護される。
【００１０】
本発明に係る増幅器は、筐体の左右両側に開閉式に増幅部を設けると共に、左右の増幅部を左右で付け替え可能とする一方、前記筐体における前記増幅部との合わせ面にゴムパッキンを設け、更に、前記増幅部の外側に放熱用のラジエータを設けたことを特徴とする。
本発明に係る増幅器によれば、左右一方の増幅部に不具合が生じた場合でも、その増幅部の修理交換等の間他方の増幅部をそれに代えることができる。また、この発明に係る増幅器によれば、増幅部の発熱はその外側のラジエータにより放熱される。この発明に係る増幅器によれば、筐体と増幅部との合わせ部にゴムパッキンを設けたことにより筐体内への雨水等の浸入が防止される。更に、本発明の増幅部によれば、左右を付け替えることができるので、稼働中のものに不具合が生じた場合、もう一方と付け替えることができる。
【００１１】
【発明の実施の形態】
図１には本発明の一実施形態に係る増幅器の斜視外観を示し、図２にはその分解斜視外観を示し、図３には組み付け手順を示してある。
【００１２】
筐体１は直方体状をなし、その左右方向（幅方向）中央には仕切り壁２が設けられ、仕切り壁２の両側は空間部３とされている。筐体１の左右両側における長方形状の開口部端面にはそれぞれゴム製のパッキン４が取り付けられている。ゴムパッキン４を貫通して開口部端面には固定用めねじ５が複数（ここでは四つ）形成されている。筐体１の背面側において、その左右両縁部の上下には蝶番の一方を構成する受けブロック６が取り付けられている。この受けブロック６には後述する蝶番の他方を構成する軸ブロックの軸を差し込むための孔７が穿設されている。
【００１３】
筐体１の背面には略Ｔ字状をなす固定金具８が設けられている。この固定金具８の左右に張り出す板状部分８ａがボルト９により電信柱などに固定される。
【００１４】
増幅器を組み込んである左右の各扉状増幅部１０は板状をなしている。扉状増幅部１０の外側となる面には放熱器としてのラジエータを構成する多数のフィン１１が上下方向に平行に設けられている。左右の扉状増幅部１０の両側端面１２の上下には蝶番の他方を構成する軸ブロック１３が設けられている。軸ブロック１３には前記受けブロック６の孔７に差し込むピン１４が下向きに設けられている。軸ブロック１３のピン１４と受けブロック５の孔７とは大きな隙間をもって嵌合されるようになっている。扉状増幅部１０における多数のフィン１１の両側には前記筐体１に設けた固定用めねじ５にねじ込まれる固定用おねじ１５が前記固定用めねじ５に対応した位置に設けられている。
【００１５】
次に、図３に基づき一実施形態に係る増幅器の組み立て手順について説明する。
筐体１の背面左右両側における上下の受けブロック６の孔７に扉状増幅部１０の一方の側端における上下の軸ブロック１３のピン１４を図３中矢印Ａで示すように差し込む。扉状増幅部１０は、受けブロック５の上面に軸ブロック１３の下面が乗った状態で支持され、かつ孔７とそこに挿入されたピン１４とが蝶番として機能し、扉状増幅部１０は、筐体１の開口部端面のゴムパッキン４に対し矢印Ｂで示すように開閉し得る状態となる。
【００１６】
扉状増幅部１０を閉じ、固定用おねじ１５を固定用めねじ５に対し締め付けることにより、筐体１の開口部が閉鎖されると同時にパッキン４が圧縮されることにより密閉される。受けブロック６の孔７と、軸ブロック１３のピン１４との間には隙間ができるようにしてあるため、固定用おねじ１５を締め付けることにより、ゴムパッキン４は均等に圧縮され、筐体１の全周囲に亘って確実に防水される。
【００１７】
上記のように組み立てられた状態で、当該増幅器は電信柱などに取り付けられる。つまり、取付金具８の板状部８ａよりボルト９を電信柱側に締め付けることにより固定されるのである。なお、筐体１の下側からは図示されていないが、高周波コネクタ、信号コネクタ、電源コネクタが接続される。ここで、左右の一方の扉状増幅部１０を現用とし、他方を予備とする場合には、一方の扉状増幅部１０に接続されるように、高周波コネクタ、信号コネクタ、電源コネクタは配される。両方の扉状増幅部１０を同時に稼働するものとする場合は、双方の扉状増幅部１０に接続されるように高周波コネクタ、信号コネクタ、電源コネクタは配される。
【００１８】
扉状増幅部１０を修理点検する場合には、対象となる扉状増幅部１０の固定用おねじ１５を外し、扉状増幅部１０を開く。扉状増幅部１０は、受けブロック６の上面に軸ブロック１３の下面が載った状態で支持される。開いた状態の扉状増幅部１０に対し点検修理の作業を行うので、作業は扉状増幅部１０の正面から行える。扉状増幅部１０を取り外す場合には、前述した取り付ける場合と逆に、扉状増幅部１０を上方に移動し、受けブロック６の孔７から軸ブロック１３のピン１４を外すことによりなされる。
【００１９】
扉状増幅部１０の一方のみを現用とし、他方を予備としている場合には、不具合の生じた扉状増幅部１０、例えば右側の扉状増幅部１０に不具合が生じた場合には右側の扉状増幅部１０を取り外し、予備の左側の扉状増幅部１０を右側に付け替える。扉状増幅部１０にはその両側部に軸ブロック１３を設けてあるので、筐体１の左側に取り付けられていたときに使用していた軸ブロック１３と反対側の軸ブロック１３を用いて筐体１の右側に取り付けることができる。従って、増幅器としての機能をそのまま継続して不具合の生じた扉状増幅部１０の修理、取り替えができる。勿論、取り替える新しい扉状増幅部１０は筐体１の空いている左側に取り付けられる。
【００２０】
上記実施形態では、筐体１の左右両側に扉状増幅部１０を設けるようにしたが、筐体１の前面にも扉状増幅部１０を設けて合計三台の扉状増幅部１０を装備するようにすることもできる。また、筐体１をその中央部で柱等に取り付けるようにすれば、筐体１の周囲に四台以上の扉状増幅部１０を装備するようにすることもできる。
【００２１】
上記実施形態では、上下に平行な多数のフィンにより放熱器を構成したが、放熱器の構成としてはこれに限らず、種々の形状のものが採用できる。
蝶番を構成する受けブロック６と軸ブロック１３についても、筐体１側に、ピンが上向きに突設された受けブロックを設け、扉状増幅部１０側に、下面から上向きに孔があけられたブロックを設けるようにしてもよい。更に、蝶番構造としては、扉状増幅部１０を筐体１に対し開閉可能とし、かつ取り外し可能とするものであればいかなる構造のものも採用可能である。
なお、本発明は、携帯電話機用の増幅器に限らず、種々の増幅器に適用できる。
【００２２】
【発明の効果】
本発明に係る増幅器によれば、筐体に、開閉式として複数の増幅部を設けたので、一つの増幅部に不具合が生じた場合でも、他の増幅部を稼働することにより増幅器の機能を継続することができる。従って、例えば、携帯電話機等の増幅器に適用した場合には一つの増幅部に不具合が生じたとしてもサービスエリアを狭めるといった事態を招くことがない。
【００２３】
本発明に係る増幅器によれば、一つの増幅器が複数の増幅部を備えることから、保守交換用増幅部を別に多数保管する必要がなくなる。
【００２４】
本発明に係る増幅器によれば、増幅部自体に放熱器を設けて放熱するようにしているので、増幅器の発熱による不具合は回避される。また、筐体は防水構造とされているので、筐体内への雨水等の浸入が防止でき、増幅部が保護される。
【００２５】
本発明に係る増幅器によれば、筐体の左右両側に開閉式に増幅部を設けたので、開いた状態では、直接正面から増幅部に対し作業ができるので、電信柱などの狭い作業場所に設置した場合でも保守点検作業が容易に行えるようになる。更に、本発明の増幅部によれば、左右を付け替えることができるので、稼働中のものに不具合が生じた場合でも、もう一方と付け替えることにより増幅器としての稼働を継続できる。
【図面の簡単な説明】
【図１】  本発明の実施の一形態に係る増幅器の斜視外観図である。
【図２】  一実施形態の分解図である。
【図３】  一実施形態の組み立て手順を示す図である。
【図４】  従来の増幅器の一例の斜視図である。
【符号の説明】
１：筐体、  ４：ゴムパッキン、
６：受けブロック、  ７：孔、
１０：扉状増幅部、  １１：フィン
１３：軸ブロック、  １４：ピン、
１５：固定用おねじ
【図１】
0003814475.tif 000002
【図２】
0003814475.tif 000003
【図３】
0003814475.tif 000004
【図４】
0003814475.tif 000005